(57)【要約】【課題】  ピンの緩みの有無を容易に確認できる転がり軸受を提供すること。【解決手段】  転がり軸受１０は、外輪１１と、内輪１２と、外輪１１と内輪１２との間で周方向に回転自在に配設された複数の中空ころ１３と、当該中空ころ１３を回転自在に支持するピン１７および当該ピン１７の端部を固定する環状の側板１８を有するピンタイプ保持器１４と、を備えている。ピンタイプ保持器１４は、側板１８に対するピン１７の初期固定位置を表示する指標１７ｃ，１８ｂを有する。【選択図】      図１
2005114006.tif 000002
【特許請求の範囲】
【請求項１】
固定軌道輪と、回転軌道輪と、前記固定軌道輪と前記回転軌道輪との間で周方向に回転自在に配設された複数の中空ころと、当該中空ころを回転自在に支持するピンおよび当該ピンの端部を固定する環状の側板を有する保持器と、を備えた転がり軸受であって、
前記保持器が、前記側板に対する前記ピンの初期固定位置を表示する指標を更に有することを特徴とする転がり軸受。
【請求項２】
前記保持器の側板が、前記ピンの端部を固定し且つ該ピンの端部を露出させるピン孔を有しており、そして、
前記指標が、前記ピン孔から露出される前記ピンの端部および当該端部が露出される側の前記側板の面に設けられていることを特徴とする請求項１に記載の転がり軸受。
【発明の詳細な説明】
【技術分野】
【０００１】
本発明は、中空ころをピンで回転自在に保持した転がり軸受に関する。
【背景技術】
【０００２】
従来の転がり軸受の一例として図４に示される転がり軸受７０は、複数のテーパ状のねじ孔７１ａを有する環状の側板７１と、これに対向する一端部にテーパ状のねじ部７２ａを有する複数のピン７２と、複数の中空ころ７３と、複数のテーパ状のテ−パ穴７４ａを有する環状の側板７４と、任意の材料からなる複数のテーパブッシュ７５と、を備えている。
【０００３】
この転がり軸受７０は、一方の側板７１のねじ孔７１ａにピン７２のねじ部７２ａを螺合して結合し、このピン７２に中空状のころ７３を挿通させた後、ピン７２の他端部を他方の側板７４のテ−パ穴７４ａにテーパブッシュ７５を介して嵌装するとともに、ピン７２の他端部を他方の側板７４に溶接して固定することにより組み立てられ、軸方向に相対向する側板７１，７４間に固定支持された複数のピン７２に中空状のころ７３がそれぞれ回転自在に保持されている（例えば、特許文献１参照）。
【特許文献１】特開平０７−１９００４９号公報（第２−３頁、第１図）
【発明の開示】
【発明が解決しようとする課題】
【０００４】
上記転がり軸受７０が長期間運転され、連続して振動が与えられると、ピン７２の他端部と他方の側板７４との溶接部分の固着力の低下が生じてピン７２の一端部と一方の側板７１との螺合部分が緩み、これによりピン７２が損傷を受けたり、側板７１，７４から離脱したりして転がり軸受７０が回転不能に至る可能性がある。しかし、例えば保守点検の際に、このピン７２と側板７４との溶接部分の固着力の低下を確認すること、換言すれば、ピン７２と側板７１との螺合部分の緩みの有無を判定することは、困難である。
【０００５】
本発明は、上記事情に鑑みてなされたものであり、その目的は、ピンの緩みの有無を容易に確認できる転がり軸受を提供することにある。
【課題を解決するための手段】
【０００６】
前述した目的を達成するために、本発明に係る転がり軸受は、下記（１）に記載したように、
（１）  固定軌道輪と、回転軌道輪と、前記固定軌道輪と前記回転軌道輪との間で周方向に回転自在に配設された複数の中空ころと、当該中空ころを回転自在に支持するピンおよび当該ピンの端部を固定する環状の側板を有する保持器と、を備えた転がり軸受であって、
前記保持器が、前記側板に対する前記ピンの初期固定位置を表示する指標を更に有することを特徴としている。
【０００７】
上記（１）に記載の発明によれば、保持器がその側板に対するピンの初期固定位置を表示する指標を有しており、側板に対するピンの緩みの有無を容易に判定することができる。より詳細に言えば、初期固定位置は組み立て時に側板に固定されるピンの所定の位置であり、この位置を目視で容易に確認できるように指標が保持器に設けられているので、当該指標を確認するだけでピンの緩みの有無を判定することができる。このようにピンの初期固定位置を極めて容易に確認できるので、例えば保守点検に係る時間ならびに工数を飛躍的に減少させることができる。
【０００８】
また、本発明に係る転がり軸受は、下記（２）に記載したように、上記（１）に記載の転がり軸受において、
（２）  前記保持器の側板が、前記ピンの端部を固定し且つ該ピンの端部を露出させるピン孔を有しており、そして、
前記指標が、前記ピン孔から露出される前記ピンの端部および当該端部が露出される側の前記側板の面に設けられていることを特徴としている。
【０００９】
上記（２）に記載の発明によれば、側板のピン孔に固定され且つ該ピン孔から露出されるピンの端部と当該端部が露出される側の側板の面とに前記指標が設けられているので、側板に対してピンに緩みが生じている場合は、ピンの端部に設けられた指標と側板の面に設けられた指標とにズレが生じることとなる。換言すれば、この指標の位置ズレを確認することにより、側板に対するピンの緩みの有無を容易に判定することができる。従って、例えば保守点検を定期的に行なうことによって、転がり軸受が例えば回転不能に陥ることを未然に、確実に、防ぐことができる。
【発明の効果】
【００１０】
本発明によれば、保持器がその側板に対するピンの初期固定位置を表示する指標を有しており、側板に対するピンの緩みの有無を容易に判定することができる。より詳細に言えば、初期固定位置は組み立て時に側板に固定されるピンの所定の位置であり、この位置を目視で容易に確認できるように指標が保持器に設けられているので、当該指標を確認するだけでピンの緩みの有無を判定することができる。このようにピンの初期固定位置を極めて容易に確認できるので、例えば保守点検に係る時間ならびに工数を飛躍的に減少させることができる。
【００１１】
また、本発明によれば、側板のピン孔に固定され且つ該ピン孔から露出されるピンの端部と当該端部が露出される側の側板の面とに前記指標が設けられているので、側板に対してピンに緩みが生じている場合は、ピンの端部に設けられた指標と側板の面に設けられた指標とにズレが生じることとなる。換言すれば、この指標の位置ズレを確認することにより、側板に対するピンの緩みの有無を容易に判定することができる。従って、例えば保守点検を定期的に行なうことによって、転がり軸受が例えば回転不能に陥ることを未然に、確実に、防ぐことができる。
【発明を実施するための最良の形態】
【００１２】
以下、本発明に係る転がり軸受（以後、『転がり軸受』または単に『軸受』と記述する。）の複数の好適な実施形態を添付図面に基づいて詳細に説明する。
【００１３】
（第１実施形態）
図１（ａ）は本発明に係る転がり軸受の第１実施形態の要部断面図、そして図１（ｂ）は図１（ａ）に示す転がり軸受の左側面図である。
【００１４】
本発明の第１実施形態である転がり軸受１０は、図１（ａ）に示されるように、固定軌道輪である外輪１１と、回転軌道輪である内輪１２と、外輪１１と内輪１２との間で周方向に転動自在（回転自在）に配設された複数の転動体である中空ころ１３と、当該中空ころ１３を転動自在（回転自在）に保持するピンタイプ保持器１４と、を備えている円すいころ軸受である。
【００１５】
外輪１１は、その外輪外周面にハウジング（不図示）が外嵌される。外輪１１は、その外輪内周面の中央部に円錐外面状に傾斜した外輪軌道面１５が形成されている。内輪１２は、その内輪内周面に軸（不図示）が内嵌される。内輪１２は、その内輪外周面の中央部に円錐外面状に傾斜した内輪軌道面１６が形成されている。
【００１６】
ピンタイプ保持器１４は、複数の中空ころ１３それぞれの中央貫通孔に挿通され、当該中空ころ１３それぞれを回転自在に支持する複数本のピン１７と、各ピン１７の両方の端部を固定する一対の側板１８，１９と、を有している。
【００１７】
ピン１７は、その一端部に雄ねじ軸部１７ａが形成されており、そして他端部にテーパ軸部１７ｂが形成されている。雄ねじ軸部１７ａおよびテーパ軸部１７ｂは、いずれも先細状に形成されている。雄ねじ軸部１７ａの端部（端面）にはＩ字形の凹状溝からなるピン側目印（指標）１７ｃ（図１（ｂ）参照）が形成されている。
【００１８】
側板１８，１９は、環状に形成され、互いに平行に、且つ同心に配されている。図１（ａ）中の左方側に配置された一方の側板１８には、周方向等間隔に複数のピン孔１８ａが設けられている。ピン孔１８ａには、ピン１７の雄ねじ軸部１７ａが螺合する雌ねじ（不図示）が形成されている。
【００１９】
図１（ａ）中の右方側に配置された他方の側板１９には、周方向等間隔に複数のピン孔１９ａが設けられている。ピン孔１９ａは、一方の側板１８のピン孔１８ａよりも内径が大きくなっており、内周部にブッシュ２０が嵌入されている。ブッシュ２０の内周部は、ピン１７のテーパ軸部１７ｂに対応したテーパ孔になっており、このブッシュ２０のテーパ孔にテーパ軸部１７ｂが圧入され、支持されている。
【００２０】
そして他方の側板１９のピン孔１９ａの外側部には、テーパ軸部１７ｂの端部と側板１９とを溶接することにより溶接部２１が形成されている。この溶接部２１によってピン１７のテーパ軸部１７ｂとブッシュ２０とが側板１９に固定されている。
【００２１】
図１（ｂ）に示されるように、雄ねじ軸部１７ａの端部（端面）がピン孔１８ａから露出される側の側板１８の面上でピン孔１８ａの近傍には側板側目印（指標）１８ｂが設けられている。
【００２２】
尚、雄ねじ軸部１７ａの端部は、ピン孔１８ａから突出するように配置される場合およびピン孔１８ａから突出しないように配置される場合のいずれにおいても、目視でピン側目印１７ｃが確認できるようにピン孔１８ａから露出されていなければならない。
【００２３】
ピンタイプ保持器１４の組み立ては次のように行なわれる。先ず、ピン１７の雄ねじ軸部１７ａを側板１８のピン孔１８ａにねじ込んで固定する。次いで中空ころ１３をピン１７に挿通したのち、ピン１７のテーパ軸部１７ｂを側板１９のピン孔１９ａにブッシュ２０を介在させながら圧入する。そして、ピン１７のテーパ軸部１７ｂの端部と側板１９とを溶接して溶接部２１を形成し、テーパ軸部１７ｂを側板１９に固定する。
【００２４】
このピン１７の固定後、雄ねじ軸部１７ａのピン側目印１７ｃの延長線上の側板１８の面に例えば、ポンチ、マーカー、等といった治具により側板側目印１８ｂを形成する。このように、側板側目印１８ｂはピン１７が両側板１８，１９に固定された際の初期固定位置を示す。
【００２５】
側板側目印１８ｂと、ピン側目印１７ｃとは、ピン１７が両側板１８，１９に固定された初期固定位置における合わせマークとして機能する。そのため、例えば保守点検等といった目視点検において、ピン側目印１７ｃが側板側目印１８ｂに対してズレていた場合、ピン１７と側板１８，１９との固着力が低下してピン１７が側板１８，１９に対して緩みを生じていることを容易に判定することができる。従って、目視点検を定期的に行なうことによって、転がり軸受１０が例えば回転不能に陥ることを未然に、確実に、防ぐことができる。
【００２６】
勿論、ピン側目印１７ｃが、側板側目印１８ｂに対してズレておらず、一致している場合は、ピン１７と側板１８，１９とが初期固定位置にあって、ピン１７が側板１８，１９に対して緩みを生じていないことが判定される。尚、緩み有りと判定されたピン１７については、側板１８，１９に対する固定を改めて行ない、以前の初期固定位置を示す側板側目印１８ｂを削除してから、新たな初期固定位置を示す側板側目印１８ｂを形成してもよい。代わりに、ピンタイプ保持器１４自体を新品交換してもよい。
【００２７】
以上、説明したように、転がり軸受１０によれば、ピンタイプ保持器１４がその側板１８に対するピン１７の初期固定位置を表示する指標（即ち、ピン側目印１７ｃ，側板側目印１８ｂ）を有しており、側板１８，１９に対するピン１７の緩みの有無を容易に判定することができる。より詳細に言えば、初期固定位置は組み立て時に側板１８に固定されるピン１７の所定の位置であり、この位置を目視で容易に確認できるように指標（即ち、ピン側目印１７ｃ，側板側目印１８ｂ）がピンタイプ保持器１４に設けられているので、当該指標を確認するだけでピン１７の緩みの有無を判定することができる。このようにピン１７の初期固定位置を極めて容易に確認できるので、例えば保守点検に係る時間ならびに工数を飛躍的に減少させることができる。
【００２８】
（第２実施形態）
次に、図２（ａ）、図２（ｂ）および図２（ｃ）を参照して本発明に係る転がり軸受の第２実施形態を説明する。図２（ａ）は本発明に係る転がり軸受の第２実施形態の要部断面図、図２（ｂ）は図２（ａ）に示す転がり軸受の左側面図、そして図２（ｃ）は図２（ａ）に示す転がり軸受の右側面図である。
【００２９】
図２（ａ）に示されるように、本発明の第２実施形態である転がり軸受３０は、複列円すいころ軸受であって、円錐外面状に傾斜した一対の外輪軌道面３２，３２を内周面に有する単一の固定軌道輪である外輪３１と、円錐外面状に傾斜した内輪軌道面３４，３４を外周面に有する一対の回転軌道輪である内輪３３，３３と、を備えている。
【００３０】
加えて、転がり軸受３０は、外輪３１の外輪軌道面３２，３２と内輪３３，３３の内輪軌道面３４，３４との間に複列で複数配置された転動体である中空ころ３５と、当該中空ころ３５を転動自在（回転自在）に保持する一対のピンタイプ保持器３６，３６と、を備えている。尚、内輪３３，３３の間には内輪間座３７が配置されている。
【００３１】
外輪３１は、その外輪外周面にハウジング（不図示）が外嵌される。また、内輪３３，３３の内輪内周面および内輪間座３７の間座内周面には軸（不図示）が内嵌される。
【００３２】
ピンタイプ保持器３６，３６は、複数の中空ころ３５それぞれの中央貫通孔に挿通され、当該中空ころ３５それぞれを回転自在に支持する複数本のピン３８（図２（ｂ）および図２（ｃ）参照）と、各ピン３８の両方の端部を固定する二対の側板３９，３９、４０，４０と、を有している。
【００３３】
図２（ｂ）に示されるように、ピン３８の一端部（一端面）にはＩ字形の凹状溝からなるピン側目印（指標）３８ｃが形成され、そしてピン３８の一端部（一端面）がピン孔３９ａから露出される側の側板３９の面上でピン孔３９ａの近傍には側板側目印（指標）３９ｂが設けられている。
【００３４】
尚、ピン３８の一端部は、ピン孔３９ａから突出するように配置される場合およびピン孔３９ａから突出しないように配置される場合のいずれにおいても、目視でピン側目印３８ｃが確認できるようにピン孔３９ａから露出されていなければならない。
【００３５】
側板側目印３９ｂは、各ピンタイプ保持器３６の組み立て時、ピン３８の一端部が側板３９のピン孔３９ａに固定された後に、ピン側目印３８ｃの延長線上の側板３９の面に例えば、ポンチ、マーカー等といった治具により形成される。このように、側板側目印３９ｂはピン３８が側板３９に固定された際の初期固定位置を示す。
【００３６】
一方、図２（ｃ）に示されるように、ピン３８の一端部と同様にピン３８の他端部（他端面）にもＩ字形の凹状溝からなるピン側目印（指標）３８ｃが形成され、そしてピン３８の他端部（他端面）がピン孔４０ａから露出される側の側板４０の面上でピン孔４０ａの近傍にも側板側目印（指標）４０ｂが設けられている。
【００３７】
尚、ピン３８の一端部と同様にピン３８の他端部も、ピン孔４０ａから突出するように配置される場合およびピン孔４０ａから突出しないように配置される場合のいずれにおいても、目視でピン側目印３８ｃが確認できるようにピン孔４０ａから露出されていなければならない。
【００３８】
側板側目印３９ｂと同様に、側板側目印４０ｂも、各ピンタイプ保持器３６の組み立て時、ピン３８の他端部が側板４０のピン孔４０ａに固定された後に、ピン側目印３８ｃの延長線上の側板４０の面に例えば、ポンチ、マーカー等といった治具により形成される。このように、側板側目印４０ｂもピン３８が側板４０に固定された際の初期固定位置を示す。
【００３９】
側板側目印３９ｂ，４０ｂと、ピン側目印３８ｃ，３８ｃとは、ピン３８が両列の側板３９，３９、４０，４０に固定された初期固定位置における合わせマークとして機能する。そのため、例えば保守点検等といった目視点検において、ピン３８の一端部のピン側目印３８ｃが側板側目印３９ｂに対してズレていた場合、ピン３８と側板３９，３９との固着力が低下してピン３８が側板３９，３９に対して緩みを生じていることを容易に判定することができる。また、ピン３８の他端部のピン側目印３８ｃが、側板側目印４０ｂに対してズレていた場合も、ピン３８と側板４０，４０との固着力が低下してピン３８が側板４０，４０に対して緩みを生じていることを容易に判定することができる。従って、目視点検を定期的に行なうことによって、転がり軸受３０が例えば回転不能に陥ることを未然に、確実に、防ぐことができる。
【００４０】
尚、転がり軸受３０に関する他の事項については、第１実施形態である転がり軸受１０の説明から容易に類推可能であるため、説明を省略する。
【００４１】
（第３実施形態）
次に、図３（ａ）および図３（ｂ）を参照して本発明に係る転がり軸受の第３実施形態を説明する。図３（ａ）は本発明に係る転がり軸受の第３実施形態の要部断面図、そして図３（ｂ）は図３（ａ）に示す転がり軸受の左側面図である。
【００４２】
本発明の第３実施形態である転がり軸受５０は、図３（ａ）に示されるように、円筒ころ軸受であって、外輪軌道面５２を内周面に有する固定軌道輪である外輪５１と、内輪軌道面５４を外周面に有する回転軌道輪である内輪５３と、外輪５１の外輪軌道面５２と内輪５３の内輪軌道面５４との間に複数配置された転動体である中空ころ５５と、当該中空ころ５５を転動自在（回転自在）に保持するピンタイプ保持器５６と、を有する。
【００４３】
外輪５１は、その外輪外周面にハウジング（不図示）が外嵌される。また、内輪５３の内輪内周面には軸（不図示）が内嵌される。
【００４４】
ピンタイプ保持器５６は、複数の中空ころ５５それぞれの中央貫通孔に挿通され、当該中空ころ５５それぞれを回転自在に支持する複数本のピン５７（図３（ｂ）参照）と、各ピン５７の両方の端部を固定する一対の側板５８，５８と、を有している。
【００４５】
図３（ｂ）に示されるように、ピン５７の端部（端面）にはＩ字形の凹状溝からなるピン側目印（指標）５７ｃが形成され、そしてピン５７の端部（端面）がピン孔５８ａから露出される側の側板５８の面上でピン孔５８ａの近傍には側板側目印（指標）５８ｂが設けられている。
【００４６】
尚、ピン５７の端部は、ピン孔５８ａから突出するように配置される場合およびピン孔５８ａから突出しないように配置される場合のいずれにおいても、目視でピン側目印５７ｃが確認できるようにピン孔５８ａから露出されていなければならない。
【００４７】
側板側目印５８ｂは、ピンタイプ保持器５６の組み立て時、ピン５７の端部が側板５８のピン孔５８ａに固定された後に、ピン側目印５７ｃの延長線上の側板５８の面に例えば、ポンチ、マーカー等といった治具により形成される。このように、側板側目印５８ｂはピン５７が側板５８に固定された際の初期固定位置を示す。
【００４８】
側板側目印５８ｂと、ピン側目印５７ｃとは、ピン５７が両側板５８，５８に固定された初期固定位置における合わせマークとして機能する。そのため、例えば保守点検等といった目視点検において、ピン側目印５７ｃが側板側目印５８ｂに対してズレていた場合、ピン５７と側板５８，５８との固着力が低下してピン５７が側板５８，５８に対して緩みを生じていることを容易に判定することができる。従って、目視点検を定期的に行なうことによって、転がり軸受５０が例えば回転不能に陥ることを未然に、確実に、防ぐことができる。
【００４９】
尚、転がり軸受５０に関する他の事項については、第１実施形態である転がり軸受１０の説明から容易に類推可能であるため、説明を省略する。
【００５０】
尚、本発明は上述した各実施形態に限定されるものではなく、適宜、変形，改良，等が可能である。その他、前述した実施形態における各構成要素の材質，形状，寸法，形態，数，配置個所，等は本発明を達成できるものであれば任意であり、限定されない。
【００５１】
例えば、本発明に係る転がり軸受におけるピン側目印については、上述したＩ字形状に限らず、ピンの固定位置を判定可能なものであれば、ドット（点）、Ｔ字、三角、等、種々の形状を採ることができる。同様に、側板側目印についても、ドット（点）形状に限らず、ピン側目印のズレを判定可能なものであれば、Ｉ字、Ｔ字、三角、等、どんな形状のものであってもよい。
【００５２】
尚、側板側目印は、ピン側目印のズレを判定し易いように、ピン側目印（即ち、ピン孔）周囲の近傍に設けるか若しくはピン側目印（即ち、ピン孔）周囲の近傍にまで延設することが望ましい。
【００５３】
尚、外輪を回転軌道輪とし、そして内輪を固定軌道輪としてもよく、その場合にも、上述した実施形態と同様にして本発明を実施することができる。
【図面の簡単な説明】
【００５４】
【図１】（ａ）は本発明に係る転がり軸受の第１実施形態を示す要部断面図、そして（ｂ）は（ａ）に示した転がり軸受の左側面図である。
【図２】（ａ）は本発明に係る転がり軸受の第２実施形態を示す要部断面図、（ｂ）は（ａ）に示した転がり軸受の左側面図、そして（ｃ）は（ａ）に示した転がり軸受の右側面図である。
【図３】（ａ）は本発明に係る転がり軸受の第３実施形態を示す要部断面図、そして（ｂ）は（ａ）に示した転がり軸受の左側面図である。
【図４】特許文献１で開示されている従来の転がり軸受の断面図である。
【符号の説明】
【００５５】
１０，３０，５０                転がり軸受
１１，３１，５１                外輪（固定軌道輪）
１２，３３，５３                内輪（回転軌道輪）
１３，３５，５５                中空ころ
１４，３６，５６                ピンタイプ保持器（保持器）
１７，３８，５７                ピン
１７ｃ，３８ｃ，５７ｃ          ピン側目印（指標）
１８，１９，３９，４０，５８    側板
１８ａ，３９ａ，４０ａ，５８ａ  ピン孔
１８ｂ，３９ｂ，４０ｂ，５８ｂ  側板側目印（指標）
【図１】
2005114006.tif 000003
【図２】
2005114006.tif 000004
【図３】
2005114006.tif 000005
【図４】
2005114006.tif 000006